(57)【要約】      （修正有）【課題】ペットに、快適且つ安全にヘルメットを被せることが可能な、ペットのヘルメットを提供する。【解決手段】ケース１１と、パッドと、ネット層と、ベルト装置と、細長の縁部１４とによって構成する。パッドは、ケースの内層に貼り合わされ、ネット層は、ぴんと張った状態を呈するとともに、於ケースの内部収容室に弾性をもたせて設けられ、細長の縁部は、ケースの端縁を囲むように設けられ、ベルト装置は、その緩みを調整することが可能であるとともに、ケース外縁の両側に固定される。それにより、前記ヘルメットのケースをペットの頭部に被せて、ベルト装置を利用してその緩み具合を調整することにより、ペットに快適且つ安全にヘルメットを被せることができる。【選択図】図５
0003172311.tif 000002
【実用新案登録請求の範囲】
【請求項１】
ケースと、パッドと、ネット層と、ベルト装置と、細長の縁部とによって構成するペットのヘルメットであって、
パッドは、ケースの内層に貼り合わせられ、ネット層は、ぴんと張った状態を呈するとともに、ケースの内部収容室に弾性をもたせて設けられ、
細長の縁部は、ケースの端縁を囲むように設けられ、ベルト装置は、その緩みを調整することが可能であるとともに、ケース外縁の両側に固定され、それにより、前記ヘルメットのケースをペットの頭部に被せることができることが可能であることを特徴とする、ペットのヘルメット。
【請求項２】
ベルト装置のベルト部には、ベルト部の長さを調整するための複数の調整部が設けられ、ベルト部の接合端部には、ベルト部の分離と結合を切り換えることができる留め具が設けられることを特徴とする、請求項１に記載のペットのヘルメット。
【請求項３】
ケースの内層にはパッドが貼りつけられ、前記パッドは弾性物質からなることを特徴とする、請求項１に記載のペットのヘルメット。
【請求項４】
ケースの適切な箇所には、ケースとネット層とベルト装置を固定する複数の固定栓が設けられることを特徴とする、請求項１に記載のペットのヘルメット。
【請求項５】
ケースの外表層には、各種模様や色が設けられることを特徴とする、請求項１に記載のペットのヘルメット。
【考案の詳細な説明】
【技術分野】
【０００１】
本考案はペットのヘルメットに関し、特に通気性に優れ、被り心地がよく、外部からの衝撃による震動を吸収することが可能なペットのヘルメットに関する。
【背景技術】
【０００２】
現在の社会では、ペット（例えば、猫、犬等）を家族の一員と考える人が多く、ペットを溺愛し、献身的に世話をする。そして、飼い主は、ペットを外につれていって散歩や運動をさせることが頻繁にあり、その際に、主に用いられる交通手段はバイクである。ペットの主人はペットをバイクに乗せ、街のあちこちを、車の行き来が激しい中運転するため、危険な状況が頻繁に発生する。また、ペットの主人は、自身の安全と交通規則を守るために、ヘルメットを被るが、ペットにヘルメットやその他の安全設備を被せることはなく、もし、不幸にも、事故が発生したり、或いはぶつかったりした時は、ペットの安全性が非常に大きな脅威にさらされることになり、この問題は深く掘り下げて討論する必要がある。
【考案の概要】
【考案が解決しようとする課題】
【０００３】
そこで、本考案は、ペットに、快適且つ安全にヘルメットを被せることが可能な、ペットのヘルメットを提供することを目的とする。
【０００４】
また、本考案は、通気性に優れ、快適な被り心地をもつペットのヘルメットを提供することを目的とする。
【０００５】
また、本考案は、被ると外部から衝撃を受けた時に緩衝効果が生じるペットのヘルメットを提供することを目的とする。
【０００６】
また、本考案は、美観の優れたペットのヘルメットを提供することを目的とする。
【課題を解決するための手段】
【０００７】
本考案によるペットのヘルメットは、主に、ケースと、パッドと、ネット層と、ベルト装置と、細長の縁部とによって構成する。パッドはケースの内層に貼り合わされ、ネット層は、弾性をもち且つぴんと張った状態でケースの内部収容室に設けられ、細長の縁部は、ケースの端縁に囲むように設けられる。ベルト装置は、その緩みを調整することが可能であるとともに、ケース外縁の両側に固定される。それにより、前記ヘルメットのケースをペットの頭部に被せて、ベルト装置を利用してその緩み具合を調整することにより、ペットに快適且つ安全にヘルメットを被せることができる。
【０００８】
また、ネット層は、弾性と通気性を備えるとともに、内部収容室内にぴんと張った状態で設けられるため、通気性のある快適な被り心地を得ることができる。
【０００９】
内部収容室にはパッドが設けられ、パッドは弾性物質からなり、それにより、被ると外部から衝撃を受けた時に緩衝効果が生じる。
【００１０】
ケースの外表層には、各種模様や色が設けられ、それにより、美観がよくなる。
【図面の簡単な説明】
【００１１】
【図１】本考案の構造を示した分解斜視図である。
【図２】本考案の断面図である。
【図３】本考案の外観を示した斜視図である。
【図４】本考案の実施例を示した概略図１である。
【図５】本考案の実施例を示した概略図２である。
【考案を実施するための形態】
【００１２】
本考案の各図を参照する。本考案のヘルメット１は、主に、ケース１１と、パッド１２と、ネット層１３と、細長の縁部１４と、ベルト装置１５等の部材から構成される。本考案の特徴は以下の通りである。パッド１２は、ケース１１内層に貼り合わされ、ネット層１３は、ぴんと張った状態を呈するとともに、ケース１１の内部収容室１６に弾性をもたせて設けられる。細長の縁部１４はケース１１の端縁に囲むように設けられ、ベルト装置１５は、緩みを調整することが可能であるとともに、ケース１１の外縁の兩側に固定され、それにより、ヘルメット１のケース１１をペットの頭部に被せることができる。また、ベルト装置１５のベルト部１５１には複数の調整部１５２が設けられ、それによりベルト部１５１の長さを調整し、ベルト周りの緩みを制御することができる。また、ベルト部１５１の接合端部には留め具１５３が設けられ、ベルト部１５１の分離と結合を切り換えることができ、それにより、ペットに、快適且つ安全にヘルメットを被せることができる。
【００１３】
また、ネット層１３は、内部収容室１６にぴんと張った状態で設けられ  それにより、通気性、弾性のある被り心地、震動吸収といった、快適且つ安全の複数の効果を得ることができる。
【００１４】
また、そのケース１１内層にはパッド１２が貼りつけられ、パッド１２は弾性物質からなり、それにより、本考案を被ると、外部から衝撃を受けた時に緩衝効果が生じる。
【００１５】
また、ケース１１の適切な箇所には、複数の固定栓１１１が設けられ、ケース１１とネット層１３とベルト装置１５を固定することができる。
【符号の説明】
【００１６】
１        ヘルメット
１１      ケース                    
１１１    固定栓
１２      パッド
１３      ネット層
１４      細長の縁部
１５      ベルト装置
１５１    ベルト部
１５２    調整部
１５３    留め具
１６      内部収容室
【図１】
0003172311.tif 000003
【図２】
0003172311.tif 000004
【図３】
0003172311.tif 000005
【図４】
0003172311.tif 000006
【図５】
0003172311.tif 000007